【手続補正書】
【提出日】平成18年11月10日(2006.11.10)
【手続補正１】
【補正対象書類名】明細書
【補正対象項目名】特許請求の範囲
【補正方法】変更
【補正の内容】
【特許請求の範囲】
【請求項１】  固形で粒状及び／又は団塊状のシャワー用の組成物であって、炭酸塩、重炭酸塩及び硫酸塩から選ばれる１種乃至は２種以上の無機塩を含有することを特徴とする、シャワー用の組成物。
【請求項２】  大きさが４〜５０ｃｍ3（立方センチメートル）であることを特徴とする、請求項１に記載のシャワー用の組成物。
【請求項３】  シャワーヘッド内に収納される形態であることを特徴とする、請求項１又は２に記載のシャワー用の組成物。
【手続補正２】
【補正対象書類名】明細書
【補正対象項目名】０００１
【補正方法】変更
【補正の内容】
【０００１】
【発明の属する技術分野】
本発明は、シャワー用の組成物に関し、更に詳細には、シャワーヘッド内に収納される形態のシャワー用の組成物に関する。
【手続補正３】
【補正対象書類名】明細書
【補正対象項目名】０００３
【補正方法】変更
【補正の内容】
【０００３】
一方、シャワーの際に使用される組成物としては所謂ドゥシェゲルなどのような洗浄料が知られるのみで、その使用形態も、予め身体に組成物を塗布し、それをシャワーで洗い流すもののみであり、風邪、リューマチ、神経痛、筋肉痛、ストレスの過負荷などの入浴でのみしか得られない生理的な効果をシャワーに付加するような組成物は知られていなかったし、シャワーヘッド中に収納し、シャワーを使用する際、溶け出すような剤形の組成物も全く知られていない。
【手続補正４】
【補正対象書類名】明細書
【補正対象項目名】０００４
【補正方法】変更
【補正の内容】
【０００４】
【発明が解決しようとする課題】
本発明は、この様な状況下為されたものであり、シャワーの手軽さを維持しつつ、入浴の生理的効果も発揮できるようなシャワー用の組成物を提供することを課題とする。
【手続補正５】
【補正対象書類名】明細書
【補正対象項目名】０００５
【補正方法】変更
【補正の内容】
【０００５】
【課題を解決するための手段】
本発明者らは、この様な状況に鑑みて、シャワーの手軽さを維持しつつ、入浴の生理的効果も発揮できるような組成物を求めて、鋭意研究努力を重ねた結果、固形で粒状及び／又は団塊状のシャワー用の組成物であって、無機塩を含有することを特徴とする、シャワー用の組成物を作製し、これをシャワーヘッドの部分に収納させることにより、この様な効果が得られることを見出し、発明を完成させるに至った。即ち、本発明は、以下に示す技術に関するものである。
（１）固形で粒状及び／又は団塊状のシャワー用の組成物であって、炭酸塩、重炭酸塩及び硫酸塩から選ばれる１種乃至は２種以上の無機塩を含有することを特徴とする、シャワー用の組成物。
（２）大きさが４〜５０ｃｍ3（立方センチメートル）であることを特徴とする、（１）に記載のシャワー用の組成物。
（３）シャワーヘッド内に収納される形態であることを特徴とする、（１）又は（２）に記載のシャワー用の組成物。
以下、本発明について、実施の形態を中心に詳細に説明を加える。
【手続補正６】
【補正対象書類名】明細書
【補正対象項目名】０００６
【補正方法】変更
【補正の内容】
【０００６】
【発明の実施の形態】
本発明のシャワー用の組成物は固形で粒状及び／又は団塊状の形状をした固形の組成物であって、下記する無機塩を含有することを特徴とする。ここで、シャワー用の組成物とは、シャワーを浴びる際に使用される組成物であるが、その多くは分類上は化粧料に属するが、皮膚外用にシャワー時使用されるものであれば、皮膚外用雑貨であることも、皮膚外用医薬であることも許容される。ここで、無機塩としては、炭酸塩、重炭酸塩及び硫酸塩が挙げられ、例えば、硫酸ナトリウム、硫酸カリウム、炭酸ナトリウム、炭酸カリウム、炭酸水素ナトリウム、炭酸水素カリウムなどが好ましく例示できる。これらの無機塩は唯一種使用することもできるし、二種以上を組み合わせて使用することも可能である。本発明のシャワー用の組成物には、これら無機塩以外に通常化粧料で使用される任意成分を含有することができる。この様な任意成分としては、例えば、スクワランや流動パラフィン、固形パラフィンなどの炭化水素類、ジメチコンやフェメチコンなどの内、必須成分とはならないシリコーン類、ホホバ油やゲイロウなどのエステル類、ステアリン酸やオレイン酸などの脂肪酸類、ベヘニルアルコールやセタノール、オレイルアルコールなどの高級アルコール類、牛脂やオリーブオイル等のトリグリセライド類、ステアリン酸モノグリセリド、ソルビタンセスキオレート、ポリオキシエチレンソルビタンモノオレート、ポリオキシエチレンステアレート、ラウリン酸デカグリセリルに代表される脂肪酸ポリグリセリル等の非イオン界面活性剤、ソジウムラウリルステアレートなどのアニオン界面活性剤、
４級アルキルアンモニウム塩等のカチオン界面活性剤類、１，３−ブタンジオール、グリセリン、イソプレングリコール、１，２−ペンタンジオールなどの多価アルコール類、結晶セルロース等の粉体類、キサンタンガムやヒドロキシプロピルセルロースなどの増粘剤、ビタミンやグリチルリチン、トウキエキス、センキュウエキス、シラカバエキス、ローズマリーエキス、ラベンダーエキス、タイムエキス、ユーカリエキス、カミツレエキス、クリエキスなどの有効成分などが好ましく例示できる。これらの内、特に好ましいものは、アニオン性界面活性剤、非イオン性界面活性剤、ポリエチレングリコールなどの多価アルコールであって、固形のもの、ポリエチレングリコールで言えば平均分子量４０００以上のものが好ましく例示できる。これらの成分の好ましい含有量はアニオン性界面活性剤や非イオン性界面活性剤等の界面活性剤が総量で、組成物全量に対して、０．１〜３０重量％であり、固形の多価アルコール類が総量で、組成物全量に対して、０．１〜３０重量％である。これらは、他の成分からなる固形組成物の最外部に被覆する形態で含有されることが好ましい。これは、この様な形態で中心部の固形組成物部分の防湿が可能であるからである。従って、中心部の固形組成物が炭酸塩及び／又は重炭酸と有機酸とを含む場合は、湿潤によりこれらの成分が反応し玉割れするのを防げるので特に好ましい。
【手続補正７】
【補正対象書類名】明細書
【補正対象項目名】０００７
【補正方法】変更
【補正の内容】
【０００７】
本発明の、シャワー用の固形組成物は、その含有する無機塩の種類と任意成分の種類とその製剤的な構造により、幾つかの異なった効果を持つようなものが存在するが、これらの何れもが本発明のシャワー用の固形組成物の技術的範囲に属する。この様なタイプの内、好ましいものを例示してみると以下のようなものが挙げられる。
（１）硫酸塩保温タイプ硫酸ナトリウムなどの保温性無機塩と製剤上の任意成分のみで成形したもので、シャワーのみで、入浴の保温効果を発揮する。
（２）硫酸塩・界面活性剤併用タイプ硫酸ナトリウムなどの保温性無機塩と界面活性剤とを含むもので、最外部を界面活性剤を含む層でコートしたもの。洗浄効果を発揮した後、入浴の保温効果を発揮する。
（３）炭酸ガス発生タイプ炭酸塩及び／又は重炭酸塩と固体の酸を含むタイプで、湿潤して炭酸ガスを発生し、炭酸ガスの血流促進効果を発揮させるタイプ。
（４）界面活性剤・炭酸ガス発生複合タイプ界面活性剤と炭酸塩及び／又は重炭酸塩と固体の酸を含むタイプで、最外部を界面活性剤を含む層でコートしたもの。洗浄効果を発揮した後、炭酸ガスの血流促進効果を発揮させるタイプ。これら何れのタイプのものも、これまでのシャワーになかった効果を付加でき、入浴の効果を、シャワーで短時間に味わうことができる。
【手続補正８】
【補正対象書類名】明細書
【補正対象項目名】０００９
【補正方法】変更
【補正の内容】
【０００９】
＜実施例１＞
下記に示す処方に従って本発明のシャワー用の固形組成物を作製した。即ち、処方成分をヘンシェルミキサーで混合し、パルベライザーで粉砕した後、金型に詰め、直径１．５ｃｍ、高さ７ｍｍの円筒状（４．９ｃｍ3）に加工し、シャワー用の固形組成物１とした。
硫酸ナトリウム                ９８    重量部
カミツレ抽出物                  １    重量部
トウキ抽出物                    ０．５重量部
センキュウ抽出物                ０．５重量部
【手続補正９】
【補正対象書類名】明細書
【補正対象項目名】００１０
【補正方法】変更
【補正の内容】
【００１０】
＜実施例２＞
実施例１と同様に、同様の成分を用いて、直径２ｃｍ、高さ１ｃｍの円筒状（１２．６ｃｍ3）に加工し、シャワー用の固形組成物２とした。
【手続補正１０】
【補正対象書類名】明細書
【補正対象項目名】００１１
【補正方法】変更
【補正の内容】
【００１１】
＜実施例３＞
実施例１と同様に、同様の成分を用いて、直径３ｃｍ、高さ１．６ｃｍの円筒状（４５．２ｃｍ3）に加工し、シャワー用の固形組成物３とした。
【手続補正１１】
【補正対象書類名】明細書
【補正対象項目名】００１２
【補正方法】変更
【補正の内容】
【００１２】
＜実施例４＞
実施例１〜３のシャワー用の固形組成物１〜３を用いて、保温試験を行った。即ち、１群１０名のパネラーを用いて、シャワー用の固形組成物をシャワーヘッドの内部に入れて、５分間シャワーを浴びてもらい、シャワー前とシャワー後３０分に耳の中の温度を測定した。シャワー後の温度からシャワー前の温度を減じ、温度上昇値とした。コントロールとしては、シャワーのみ（固形組成物無し）を浴びた群を用意した。結果を平均の温度上昇値として示す。これより、本発明のシャワー用の固形組成物は、保温効果に優れることがわかる。又、本発明のシャワー用の固形組成物の大きさとしては、４〜５０ｃｍ3（立方センチメートル）が好適であることもわかる。
【手続補正１２】
【補正対象書類名】明細書
【補正対象項目名】００１４
【補正方法】変更
【補正の内容】
【００１４】
＜実施例５＞
実施例１と同様に、下記の成分を用いて、直径２ｃｍ、高さ１ｃｍの円筒状（１２．６ｃｍ3）に加工し、シャワー用の固形組成物４とした。このものを実施例４と同様に評価したところ、平均の温度上昇値は０．９±０．５で炭酸ガスの効果が確認された。
ポリエチレングリコール６０００         ５    重量部
コハク酸                             ４５    重量部
ソーダ灰                             ２７    重量部
重炭酸ナトリウム                     ２１    重量部
カミツレ抽出物                         １    重量部
トウキ抽出物                           ０．５重量部
センキュウ抽出物                       ０．５重量部
【手続補正１３】
【補正対象書類名】明細書
【補正対象項目名】００１５
【補正方法】変更
【補正の内容】
【００１５】
＜実施例６＞
実施例１と同様に、下記の成分を用いて、直径２ｃｍ、高さ１ｃｍの円筒状（１２．６ｃｍ3）に加工した。更にこのものに１５重量部のポリエチレングリコール６０００を糖衣パンでコートし、本発明のシャワー用の組成物５とした。このものを実施例５の本発明のシャワー用の固形組成物４とともに、４０℃、湿度５０％で１ヶ月保存し、その状態を観察した。固形組成物４は軽度の玉割れが５０個中３個に見られたが、固形組成物５には全く観察されなかった。これより、最外角部を多価アルコールでコートすることが好ましいことがわかる。
ポリエチレングリコール６０００         ５    重量部
コハク酸                             ３５    重量部
ソーダ灰                             ２２    重量部
重炭酸ナトリウム                     ２１    重量部
カミツレ抽出物                         １    重量部
トウキ抽出物                           ０．５重量部
センキュウ抽出物                       ０．５重量部
【手続補正１４】
【補正対象書類名】明細書
【補正対象項目名】００１６
【補正方法】変更
【補正の内容】
【００１６】
＜実施例７＞
実施例１と同様に、下記の成分を用いて、直径２ｃｍ、高さ１ｃｍの円筒状（１２．６ｃｍ3）に加工した。更にこのものに１５重量部のラウリル硫酸ナトリウムを糖衣パンでコートし、本発明のシャワー用の組成物６とした。このものは、保温という入浴の効果を発揮するとともに、洗浄効果も発揮した。
ポリエチレングリコール６０００        ５    重量部
コハク酸                            ３５    重量部
ソーダ灰                            ２２    重量部
重炭酸ナトリウム                    ２１    重量部
カミツレ抽出物                        １    重量部
トウキ抽出物                          ０．５重量部
センキュウ抽出物                      ０．５重量部
【手続補正１５】
【補正対象書類名】明細書
【補正対象項目名】００１７
【補正方法】変更
【補正の内容】
【００１７】
＜実施例８＞
実施例１と同様に、下記の成分を用いて、直径２ｃｍ、高さ１ｃｍの円筒状（１２．６ｃｍ3）に加工した。更にこのものに５重量部のポリエチレングリコール６０００と５重
量部のラウリル硫酸ナトリウムと５重量部のラウリン酸デカグリセリルを糖衣パンでコートし、本発明のシャワー用の組成物７とした。このものは４０℃、湿度５０％の保存条件で玉割れなどの現象も見られず、保温効果と洗浄効果とを有していた。
ポリエチレングリコール６０００        ５    重量部
コハク酸                            ３５    重量部
ソーダ灰                            ２２    重量部
重炭酸ナトリウム                    ２１    重量部
カミツレ抽出物                        １    重量部
トウキ抽出物                          ０．５重量部
センキュウ抽出物                      ０．５重量部
【手続補正１６】
【補正対象書類名】明細書
【補正対象項目名】００１８
【補正方法】変更
【補正の内容】
【００１８】
【発明の効果】
本発明によれば、シャワーの手軽さを維持しつつ、入浴の生理的効果も発揮できるようなシャワー用の組成物を提供することができる。